(57)【要約】【課題】          理美容院でのセットやカット時の顧客または施術者の自由な椅子の移動、また椅子不使用時の椅子の退避が容易にでき、かつ椅子の移動によりセットやカットで散乱した髪の毛などが巻き込まれて故障をすることない理美容椅子の移動用脚を提供する。【解決手段】        脚板１の周縁部に略同じ角度で配置される４個以上の車輪型キャスター６と、前記配置された車輪型キャスター６との間にアジャスタ８を設け、着座状態で前記該アジャスタ８により椅子が移動不可となり、不着座状態では前記車輪型キャスター６により移動自在に成すようにした。【選択図】          図１
0003130715.tif 000002
【実用新案登録請求の範囲】
【請求項１】
理美容院等で使用される理美容椅子において、脚板の周縁部に略同じ角度で配置される４個以上の車輪型キャスターと、前記車輪型キャスター間にアジャスタを設け、着座状態で前記アジャスタにより椅子が移動不可となり、不着座状態で前記車輪型キャスターにより移動可能としたことを特徴とする理美容椅子の移動用脚。
【請求項２】
前記脚板にネジ等で取り付けられるキャスターガイドと、バネにより伸縮し前記キャスターガイド内を上下移動するキャスターガイド軸と、該キャスターガイドの軸に車輪型キャスターが設けられることを特徴とする請求項１に記載の理美容椅子の移動用脚。
【請求項３】
前記車輪型キャスターおよびアジャスタが設けられる脚板を覆うための下方部が開放されるカバーが設けられることを特徴とする請求項１に記載の理美容椅子の移動用脚。
【考案の詳細な説明】
【技術分野】
【０００１】
本考案は、理美容院等で頭髪のセット時やカット時などに使用する理美容椅子の移動用脚に関する。
【背景技術】
【０００２】
理美容院等で頭髪のセットやカットなどに使用される椅子は、着座者の身長などにあわせて椅子座の高さを上下に調整また背凭れを傾動自在になっているものがある。
この種の理美容椅子においては、頭髪のセットやカット時に椅子自体を施術しやすい位置に移動する、またシャンプーなどを行う際に洗髪スペースまで椅子自体を移動させることがある。
【０００３】
移動用椅子としては、特許文献に示すように、一般椅子やソファーの脚の下面に下方部が開放された筒状のアジャスタの内面にバネ等で下方向に付勢されるボール型キャスターが配置される移動用の椅子がある。
【０００４】
特許文献の公報によれば、一般の椅子やソファーの筒状の４本脚の内面にバネ等で下方に付勢されるプランジャーに支持されるボールが内蔵されるボールプランジャーが設けられており、これにより、着座していない状態で前記バネがボールが設けられるプランジャーを下方へ押した状態で、該ボールにより椅子が移動可能となっており、着座状態においては、着座者の荷重により該バネが圧縮されて脚が床面に設置するようになっている。
【０００５】
【特許文献１】特開平４−１９３１０６号
【考案の開示】
【考案が解決しようとする課題】
【０００６】
ところで、特許文献に示す移動用椅子においては、着座していない状態では、４本脚のそれぞれの内面にバネ等で下方に付勢されるプランジャーに支持されるボールが床面に設置して移動可能となっているが、理美容院などでは、頭髪のカットやセットなどを行う施術で、床面に髪の毛などが落ち髪の毛が床面に散乱した状態となり、その上を椅子が移動するため、前記ボール型キャスターでは、ボールとボールプランジャーの間に髪の毛等が巻き取られることにより、髪の毛が溜まりボールが動かなくなるという問題がある。
髪の毛が詰まることによって、椅子を自由に移動させることができず、無理に椅子を動かせば、ボール型キャスターに負荷がかかり、故障の原因ともなっていた。
【０００７】
本考案は前記した課題を解決せんとするもので、その目的とするところは、理美容院でのセットやカット時の顧客または施術者の自由な椅子の移動、また椅子不使用時の椅子の退避が容易にでき、かつ椅子の移動によりセットやカットで散乱した髪の毛などが巻き込まれて溜まることによる故障をしないまた簡易に取り付けることができる理美容椅子の移動用脚を提供せんとするにある。
【課題を解決するための手段】
【０００８】
本考案の理美容椅子の移動用脚は、前記目的を達成せんとするもので、請求項１の手段は、理美容院等で使用される理美容椅子において、脚板の周縁部に略同じ角度で配置される４個以上の車輪型キャスターと、前記車輪型キャスター間にアジャスタを設け、着座状態で前記アジャスタで椅子が移動不可となり、不着座状態で前記車輪型キャスターにより移動可能としたことを特徴とする。
【０００９】
請求項２の手段としては、請求項１において、前記脚板にネジ等で取り付けられるキャスターガイドと、バネにより伸縮し前記キャスターガイド内を上下移動するキャスターガイド軸と、該キャスターガイドの軸に車輪型キャスターが設けられることを特徴とする。
【００１０】
請求項３の手段としては、請求項１において、前記車輪型キャスターおよびアジャスタが設けられる脚板を覆うための下方部が開放されるカバーが設けられることを特徴とする。
【考案の効果】
【００１１】
本考案の理美容椅子の移動用脚は、椅子を移動させる際に円板状の周縁部に４個以上の車輪型キャスターを配置しているため安定した移動ができ、美容院でのセットやカット時の顧客または施術者の自由な椅子の移動が容易にできる。
また車輪型キャスターの数に見合ったアジャスタが適宜間隔で配置されているため、安定した状態で床面に接地固定でき、安心して、カットやセットなどの施術ができる。
【００１２】
またセットやカットで散乱した床面上を移動させても、キャスター内に髪の毛などが溜まることがなく、スムースに移動させることができるだけでなく、髪の毛溜まりによる故障もない。
さらには椅子を使用しない時などは、適宜椅子を移動退避させて、床面の清掃ができるだけでなく、理美容院の空間が広くなるため、その空間をセットやカット作業としての空間だけでなく、他の利用もでき多目的に使用できる空間とすることができる。
【考案を実施するための最良の形態】
【００１３】
理美容院等で使用される理美容椅子において、脚板の周縁部に略同じ角度で配置される４個以上の車輪型キャスターと、前記配置された車輪型キャスターとの間に等間隔にアジャスタを設けることにより、着座状態で前記椅子が該アジャスタにより移動せず床面に接地して固定され、着座していない状態では前記アジャスタが床面から浮くことにより移動自在に成すことができる。
【実施例１】
【００１４】
以下、本考案に係る理美容椅子の移動用脚の一実施例を図面とともに説明する。
図１は理美容椅子の移動用脚の展開図、図２は着座していない状態の移動用脚の全体断面図、図３は着座していない状態の移動用脚の車輪型キャスター取付部の要部断面図、図４は着座した状態の移動用脚の全体断面図、図５は着座した状態の移動用脚の車輪型キャスター取付部の要部断面図である。
【００１５】
１は脚板であり、該脚板１には、キャスターガイド取付用孔１ａ、後述するアジャスタ取付孔１ｂ、昇降装置１２、脚板１およびベースカバー１１を一体的に取り付けるための取付孔１ｃが設けられている。
２はキャスターガイド、３はキャスターガイド軸でありキャスターガイド２内を上下に摺動するように設けられている。４は該キャスターガイドを下方部へ付勢するバネである。５はキャスターガイド２を脚板１に取り付けるためのネジである。
【００１６】
６は樹脂などで構成される双輪用または単輪用の車輪が設けられる車輪型キャスターであり、該キャスターガイド軸３の下方部に設けられている。
７はキャスターガイド軸３の抜けを防止するための止め輪である。
８はアジャスタ、９はアジャスタ受け軸、１０は脚板１と前記アジャスタ受け軸９とを取り付けるためのネジである。
また前記車輪型キャスター６は該脚板１の周縁部に適宜間隔をおいて５個配置されており、それぞれのキャスター６間の略中間部にはアジャスタ８が設けられている。
【００１７】
１１は前記脚板１を覆うためのベースカバーであり、該ベースカバー１１には、前記脚板１と後述する椅子昇降装置１２をネジ等で固定するための孔１１ｂが設けられている。
１２は椅子昇降装置であり、１３は上部に椅子座（図示せず）が設けられる昇降ラム、１４はシリンダー、１５はオイル室、１６はバネ、１７は昇降用ペダル、１８は昇降用ペダルの軸、１９は昇降杆、２０はオイル圧縮室、２１はオイル流路である。
【００１８】
従って、座部が載置される昇降ラム１３を上昇させる際は、昇降用ペダル１７を踏むことにより、昇降杆１９を押し下げる。
これによりオイル室１５から吸引されたオイルが溜まったオイル圧縮室２０内のオイルをオイル流路２１からシリンダー１４内に送り込むことによって昇降ラム１３が上昇するように構成されている。
【００１９】
逆に昇降ラム１３を下降させる場合は、シリンダー１４内に溜まったオイルをオイル室１５に戻すことによって、シリンター１４内の圧力が低下することにより、昇降ラム１３は下降するようになっている。
【００２０】
以上のことから、椅子に着座した状態では、上方からの荷重により、バネ４は圧縮して脚板１はアジャスタ８が床面に当接するまで下方へ動き、アジャスタ８が床面に接した時点で脚板１は床面に接地し固定される。
これにより、カットやセット時に前記した椅子の昇降装置１２が安定した状態で動作させることができ、顧客が安心して施術を受けることができ、施術者は安心して施術作業ができるようになる。
【００２１】
また椅子に着座していない状態では、上方からの荷重よりも下方に付勢されるバネ４の付勢力が大きくなるために、前記車輪型キャスター６が床面に設置して、アジャスタ８が床面から浮くことによって、車輪型キャスター６によって脚板１は移動可能となる。
この状態で、着座者または施術者は椅子を適宜位置に移動させることができる。また椅子を使用しない時などは、適宜椅子を移動退避させて、床面の清掃ができ、また理美容院の空間を広くして、その空間をセットやカット作業としての空間だけでなく、他の利用もできるようになる。
【００２２】
さらにはボール型キャスターではなく、樹脂などで構成される双輪用または単輪用の車輪が設けられる車輪型キャスターを使用しているため、髪の毛などが詰まることなく常にスムースな動きを実現でき故障も少なくなる。
また金属などで構成されるボールが設けられるボール型キャスターではなく、車輪型キャスターの車輪部が樹脂などの材料で構成されているため、床面を傷付けることもない。
【図面の簡単な説明】
【００２３】
【図１】本考案に係る理美容椅子の移動用脚の展開図である。
【図２】本考案に係る理美容椅子に着座していない状態の移動用脚の全体断面図である。
【図３】本考案に係る理美容椅子に着座していない状態の移動用脚の車輪型キャスター取付部の要部断面図である。
【図４】本考案に係る理美容椅子に着座した状態の移動用脚の全体断面図である。
【図５】本考案に係る理美容椅子に着座した状態の移動用脚の車輪型キャスター取付部の要部断面図である。
【符号の説明】
【００２４】
１          脚板
１ａ        キャスターガイド取付用孔
１ｂ        アジャスタ取付孔
１ｃ        取付孔
２          キャスターガイド
３          キャスターガイド軸
４          バネ
６          車輪型キャスター
７          止め輪
８          アジャスタ
９          アジャスタ受け軸
１０        ネジ
１１        ベースカバー
１２        椅子昇降装置
１３        昇降ラム
１４        シリンダー
１７        昇降用ペダル
【図１】
0003130715.tif 000003
【図２】
0003130715.tif 000004
【図３】
0003130715.tif 000005
【図４】
0003130715.tif 000006
【図５】
0003130715.tif 000007